(57)【特許請求の範囲】
【請求項１】
眼内レンズインプラント（１０、８０）において、該インプラント（１０、８０）が、
運搬部材（１１）と、テレスコープ（２２）と、該テレスコープ（２２）を該運搬部材（１１）に固定するように取り付ける少なくとも１つの機械的な固定部（１２、５２、５４、８２、８４）と、を具備しており、
該運搬部材（１１）が、リング（１２）を具備しており、該リング（１２）は、
内径と外径を形成していて前記リング（１２）を通るように形成される開口（１４）を有しており、該リング（１２）は、内径から外径へ伸長する隙間（１６）により一箇所で割れており、該リング（１２）は、人間の眼への挿入のために生体適合性のある材料から製作されており、該材料が十分な弾性を有するので、該リング（１２）は、該リング（１２）に力を適用して該隙間（１６）を拡げることにより最初の形態から弾性的に開けることが可能であり、該リング（１２）は、該力を取り除くことで該最初の形態に実質的に戻り、
該テレスコープ（２２）は、該リング（１２）の該開口（１４）にその周囲が収容される形状の周囲を有する本体（２４）を具備しており、前記力により該リング（１２）を弾性的に開き該リング（１２）が該本体（２４）上を通過し更に該力を取り除いて該リング（１２）により該周囲を固定するように掴ませることにより、該リング（１２）は該テレスコープ本体（２４）に取り付けられる、
インプラント（１０）。
【請求項２】
該リング（１２）が、内径と外径の中間の該リング（１２）の一部分で該隙間（１６）の近くに形成される一対の開口（２０）を有しており、１つの開口（２０）が該隙間（１６）の一方の側にあり、もう一方の開口（２０）が該隙間（１６）の反対の側にある請求項１に記載のインプラント（１０）。
【請求項３】
該周囲に、該本体（２４）に形成される環状の収容部（２８）により区画される請求項２に記載のインプラント（１０）。
【請求項４】
少なくとも１つの環状の尾根部（３０）が、該テレスコープ本体（２４）に形成される請求項２に記載のインプラント（１０）。
【発明の詳細な説明】
【０００１】
・発明の分野
本発明は、一般的に眼内レンズ（ＩＯＬ）インプラント（移植組織）及び特別にはテレスコープ（望遠鏡）のための機械的な取付部を有する眼内運搬部材に関する。
【０００２】
・背景技術
テレスコープを備えた眼内挿入物が知られている。欧州特許出願公開ＥＰ−Ａ−２１２６１６号は、前方の凸レンズと後方の凹レンズを含む眼内レンズについて記載している。レンズの外形は、その屈折力を変化させるためにその中の流体の量を変化させることによって選択的に変更可能である。このレンズは単に、眼の生体レンズ(natural lens)に対する代替物として意図されている。
【０００３】
米国特許第４０７４３６８号は又、例えば黄斑変性症及び糖尿病性網膜症等の病気の症状を軽減するために提案された高倍率の、前方の凸レンズと後方の凹レンズとを含む眼内レンズを記載している。このレンズは、移植された時に、瞳孔から網膜の付近まで殆ど眼の深さ全体にわたって延設される比較的長いレンズアセブリ内に配置される、多くの比較的低倍率のレンズ表面(low power lens surfaces) を有している。このようなレンズを移植することは大手術を必要とする。更に、提案されたレンズは、幅広い視野という点で生体レンズの代替物とはならない。
【０００４】
フランス特許出願公開第２６６６７３５号は、レンズ状に成形された光学部分と眼の中にインプラントを固定するためのファスニングアセンブリとを含むインプラントを記載している。この光学部分は、少なくとも一つの閉じた内部空間を含み、この内部空間は、流体を含むか、又は真空であって、レンズの光学的性質を変化させる屈折チャンバを構成する。
【０００５】
本願の出願人／譲受人の米国特許第５３５４３３５号及び同第５３９１２０２号は、眼の前方側に面する正の（収束）レンズ(positive(converging)lens)と、後方側に面する負の（発散）レンズ(negative(diverging)lens) とを有し、二つのレンズがガリレイ式望遠鏡システムを構成する眼内挿入物を記載しており、この文献の記載は、本明細書の一部をなすものとする。米国特許第５３５４３３５号では、レンズは本体部材に取付けられ、正のレンズはその本体部材の前方の面とほぼ面一である。負のレンズは、その本体部材の後方の面と面一であっても良く、又はそこから後方へ突出していても良い。この本体部材の前方及び／又は後方面は凸状であっても良い。米国特許第５３９１２０２号では、正のレンズは本体部材の前方の面から前方に突出しており、この本体部材は好ましくは、例えばシリコーン等の材料から構成されたソフトレンズである。
【０００６】
米国特許出願第０８／８８２９７２号において、本願の出願人／譲受人は前方端部及び後方端部を有するテレスコープ本体を備え、前方端部及び／又は後方端部においてテレスコープ本体にシールされる一つ以上の窓(windows) を有する、更なる眼内インプラントを開示しており、その開示内容は本明細書の一部をなすものとする。前方及び後方端部の中間のテレスコープ本体内には少なくとも２つのレンズが配置される。レンズはいわゆる逆ガリレイ式望遠鏡(reverse Galilean telescope)であっても良い。即ち負のレンズが眼の前方側に面し、その一方正のレンズが眼の後方側に面していても良い。このシステムの特徴の１つは、レンズが複レンズ(doublet lenses)であるということである。窓は光学的能力がなくても良いし、あるいはプリズムを具備していても良い。
【０００７】
米国特許出願第０８／８８２９７３号において、本願の出願人／譲受人は、眼の水晶体嚢(lens capsule)の少なくとも一部分を通り、眼の前方側に向かってその前方に伸長するテレスコープ（ガリレイ式又は逆ガリレイ式のいずれか）を具備していて、このテレスコープが眼の硝子体に入らない、更に別の眼内インプラントを開示しており、その開示内容は本明細書の一部をなすものとする。この眼内レンズインプラントは、水晶体嚢内にレンズのない状態で、ループ(loop)により水晶体嚢内に支持される。本システムの特徴の一つは、低分解能ではあるが網膜の機能が作用している部分にテレスコープによって、眼の外部からの光を集中させるようにテレスコープが傾斜され得ることである。このシステムの別の選択的な特徴には、一つ以上の屈折率分布型レンズ(lenses having a graded index of refraction)、ホログラフィック（拡散）レンズ(holographic(diffusing)lenses)及び／又は色収差を防止することを補助する複レンズ(doublet lenses)が含まれる。この特許出願は又、レンズをテレスコープ本体に接合するためにレーザー融着(laser fusing)を使用する眼内挿入テレスコープの製作方法を開示している。これとは別に又は追加的にこの方法は、接合媒体として低温度融点を有するガラス粒子を使用する。
【０００８】
・発明の概要
本発明は、ＩＯＬから伸長する改善されたテレスコープのレンズシステムを提供することを目標とする。本発明はテレスコープのための機械的取り付け部を有する眼内の運搬部材を提供する。本発明の一つの実施の形態において、運搬部材はテレスコープを支持するための保持リングの様に製作される。（明細書及び請求項を通して、保持リング及びサークリップ(circlip) という用語は、相互交換可能であることが特記される。）運搬部材は、テレスコープ本体に適合して、それによりテレスコープ式眼内挿入部を製作するための高価ではなく素早い方法を提供する。完成したアセンブリが、典型的にはカプセル状のバッグで眼に簡単に取り付けられても良い。ねじ付き固定部、スナップ及びスタッド等の別の機械的な取り付け部がまた開示される。
【０００９】
本発明は従って、眼に関する移植における場所又は工場のいずれかにおいて、テレスコープを有する眼内インプラントを製作する新規な方法を提供する。本発明の「運搬部材」とは、レンズではなく、むしろ眼における移植のために適切な任意の構造であって、眼にテレスコープを支持するために使用されるものであることが分かる。運搬部材は、レンズの一般的な形状を有する様にここでは図示される。しかし任意の別の形状が採用されても良く、本発明の範囲にあることが認識される。
【００１０】
従って運搬部材と、テレスコープと、テレスコープを運搬部材にしっかり取り付ける少なくとも１つの機械的な固定部とを具備する眼内レンズインプラントが、本発明の好適な実施の形態に従い提供される。
【００１１】
本発明の好適な実施の形態に従い、少なくとも１つの運搬部材及びテレスコープが、少なくとも１つの機械的な固定部により一体に形成される。
【００１２】
更に本発明の好適な実施の形態に従い、運搬部材には、テレスコープに形成される対応する雄の固定部に適合する雌の固定部が形成される。これとは別に運搬部材には、テレスコープに形成される対応する雌の固定部に適合する雄の固定部が形成される。テレスコープの固定部は、テレスコープの端部に形成されることが好ましい。
【００１３】
本発明の好適な実施の形態に従い、運搬部材は内径と外径を形成していて、リングを通り形成される開口を有するリングを具備しており、リングは内径から外径へ伸張する隙間により一箇所で割れており、リングは人間の眼への挿入のための生体適合性のある材料により製造されており、材料は十分な弾性を有するので、リングはリングへの力の適用により隙間を拡げることにより、初期の形態からばねで開くことが可能であり、更にリングは力の除去により最初の形態へ一般的に戻り、テレスコープはリングの開口を周りで受容する形状の周囲を有する本体を具備しており、そこでは力でリングをばねのように開けて、リングを本体上を通過させ、リングにより周囲を固定するように掴む力を取り除くことにより、リングはテレスコープ本体に取り付けられる。運搬部材はそこから伸張する少なくとも１つの触覚(haptics) を具備することが好ましい。
【００１４】
更に本発明の好適な実施の形態に従い、リングは内径と外径の中間のリングの一部分で隙間の付近に形成される一対の開口を有しており、一つの開口は隙間の一方の側にあり、もう一方の開口は隙間の反対側にある。周囲には、本体に形成される環状の収容部が形成されることが好ましい。これとは別に又は追加的に、少なくとも１つの環状の尾根部がテレスコープ本体に形成される。
【００１５】
本発明の好適な実施の形態に従い、雄の固定部が少なくとも１つのスタッドを具備しており、雌の固定部がノッチにより第２のソケットに接続する第１のソケットにより形成される溝であり、ノッチがソケットより狭く、そこでは少なくとも１つのスタッドが、少なくとも１つのスタッドを第１のソケットへ第１に挿入すること及び少なくとも１つのスタッドをノッチを越して第２のソケットへ強制的に通過することにより、第２のソケットに固定するように挿入される。
【００１６】
更に本発明の好適な実施の形態に従い、固定部はお互いにねじ込み可能に係合できる。
【００１７】
その上更に、本発明の好適な実施の形態に従い、雄の固定部は少なくとも１つの突起部を具備しており、そこでは雌の固定部は少なくとも１つのタブを具備しており、運搬部材に関してテレスコープを回転することにより、少なくとも１つの対応するタブに少なくとも１つの突起部をぴったり合って固定するように適合する。
【００１８】
本発明の好適な実施の形態に従い、雄の固定部はフランジを具備しており、そこでは雌の固定部が少なくとも１つの弾性のある舌部を具備しており、フランジが少なくとも１つの舌部に共に適合する。
【００１９】
更に本発明の好適な実施の形態に従い、少なくとも１つの機械的な固定部が運搬部材及びテレスコープとは別に形成される。テレスコープが運搬部材の曲面に適合する曲面を有する端面を具備しても良い。テレスコープは、前方に設置される正のレンズ及び後方に設置される負のレンズを具備しても良い。これとは別にテレスコープは、前方に設置される負のレンズ及び後方に設置される正のレンズを具備しても良い。
本発明は、図面を参照すると共に以下の詳細な説明により、より十分に理解し認識できる。
【００２０】
ここでは、本発明の好適な実施の形態により製作され、稼動する眼内運搬部材インプラント１０を図示する図１を参照する。
【００２１】
レンズインプラント１０は、内径及び外径を形成していてリングを通って形成される開口１４を有するリング１２の形状の運搬部材１１を具備する。開口１４はリング１２の中央を通り形成されることが最も好ましい。リング１２は内径から外径まで伸長する隙間１６により一箇所で割れている。リング１２は、人間の眼に挿入するために生体適合性のある材料で製作されており、その材料は十分な弾性を有しているので、リング１２はサークリップの様に作用する。言い換えればリング１２は、リング１２に力を加えて隙間１６を拡げることにより、最初の形態からばねで拡げることが出来る。リング１２は一般的に力を取り除くと最初の形態に戻る。リング１２に適切な材料は、例えばポリメタクリル酸メチル（ＰＭＭＡ）である。
【００２２】
リング１２は、そこから伸長する一つ以上の触覚１８を具備することが好ましい。一対の開口２０は、内径と外径の中間のリング１２の一部で隙間１６の近くに形成される。１つの開口２０は、隙間１６の一方の側にあり、もう一方の開口２０は隙間１６の反対側にある。
【００２３】
ここでは、テレスコープ２２の組み立てリング１２を図示する図２及び図３を参照する。テレスコープ２２は、本願の出願人／譲受人の米国特許第５，３５４，３３５号及び５，３９１，２０２号又は米国特許出願第０８／８８２，９７２号又は０８／８８２，９７３号の教えに従い製作されても良い。これらの参考資料に記述されるように、テレスコープ２２はガリレイ式（前方に設置される正のレンズ及び後方に設置される負のレンズを有する）又は逆ガリレイ式（前方に設置される負のレンズ及び後方に設置される正のレンズを有する）のいずれかであって良い。テレスコープ２２は、開口１４を周りに収容するような形状の周囲を有する本体２４を有する。図２に示すように、隙間１６を広げるように、リング１２は一般的に矢印２６の方向の力により、リング１２をばねで開くことによりテレスコープ本体２４に設置されてもよい。保持リングの技術において既知であるように、ノーズジョーを有するサークリップツール（図示されていない）を、隙間１６を拡げる力を適用するように開口２０に挿入しても良い。リング１２は、図３に示すように、その後テレスコープ本体２４上を通過しても良く、そこで矢印２６の方向の力を取り除いて、リング１２がテレスコープ本体２４の周囲を固定するように掴むことを可能にする。環状の収容部２８は、そこにリング１２を収容するためにテレスコープ本体２４に形成されてもよい。
【００２４】
これとは別に図４に示すように、１つ以上の環状の尾根３０がテレスコープ本体２４に形成されても良く、リング１２はテレスコープ本体２４上を通過して尾根３０の間にしっかり設置されても良い。
【００２５】
〈参考例〉
図５から１１に示す実施例は、参考例とする。
ここでは、本発明の一参考例により製作され、稼働する眼内レンズインプラント５０を図示する図５を参照する。レンズインプラント５０において、テレスコープ２２には、運搬部材１１に形成された対応する雌ねじ５４に適合する雄ネジ５２が形成される。もちろんこれとは別に、雌ねじはテレスコープに、雄ねじは運搬部材に形成されることも可能である。
【００２６】
ここでは、本発明の別の参考例により製作され、稼働する眼内レンズインプラント６０を図示する図６を参照する。レンズインプラント６０において、テレスコープ２２はねじ等の別個の機械的な固定部６２により運搬部材１１に取り付けられる。例の目的のためだけに、固定部６２は、テレスコープ２２のフランジ６６に形成される貫通穴６４に適合し、運搬部材１１に形成されるねじ付き穴６８に適合しても良い。テレスコープ２２が、運搬部材１１（即ち、凸）の曲面に適合する曲面（即ち凹）を有する端面を具備しても良いことが図６に示される。この特徴はもちろん、任意の本発明の別の眼内レンズインプラントに具備されても良い。
【００２７】
ここでは、本発明のやはりこれとは別の参考例により製作され、稼働する眼内レンズインプラント７０を図示する図７を参照する。レンズインプラント７０において、テレスコープ２２には、運搬部材１１に形成される一つ以上の弾性のある舌部７４に共に適合するフランジ７２が形成される。もちろんこれとは別に、舌部は運搬部材のフランジ及びテレスコープに形成されることも可能である。
【００２８】
ここでは、本発明のこれとは別の参考例により製作され、稼働する眼内レンズインプラント８０を図示する図８を参照する。レンズインプラント８０において、運搬部材１１には一つ以上の雌の固定部８２が形成されており、テレスコープ２２には一つ以上の対応する雄の固定部８４が形成される。
【００２９】
雄の固定部８４は、テレスコープ２２の端部８７から突き出る一つ以上のスタッド（びょう）８６を具備することが好ましく、雌の固定部８２はスタッド８６に対応する一つ以上の溝８８を具備する。各溝８８には、ノッチ９２により第２のソケット９４に接続する第１のソケット９０が形成されることが好ましい。ノッチ９２は、ソケット９０と９４より狭いことが好ましいので、各スタッド８６は、第１のソケット９０に挿入されて、強制的にノッチ９２を越えてスタッド８６が通過するするように、その後テレスコープ２２を回転することにより第２のソケット９４に固定するように着座しても良い。円筒状スタッドの場合のスタッド８６の外径及びスタッドの材質は、スタッド８６がノッチ９２を通過する時に少し圧縮されることが好ましいように選択される。スタッド８６用の適切な材料は、レンズインプラント８０の台部(rest)と同様に、例えばポリメタクリル酸メチル（ＰＭＭＡ）である。
【００３０】
ここでは、本発明の更にこれとは別の参考例により製作され、稼働する眼内レンズインプラント９６を図示する図９を参照する。レンズインプラント９６は、テレスコープ２２に形成される対応する雌の固定部８２と適合する雄の固定部８４が運搬部材１１に形成される以外は、レンズインプラント８０と基本的に同じである。
【００３１】
ここでは、本発明のやはりこれとは別の参考例により製作され、稼働する眼内レンズインプラント１００を図示する図１０を参照する。レンズインプラント１００において、テレスコープ２２には、運搬部材１１に形成される一つ以上のタブ１０４にぴったり合って固定的に適合する一つ以上の環状の突起部１０２が形成される。テレスコープ２２の端部に形成されることが好ましい突起部１０２は、お互いに関して適切に回転するテレスコープ２２と運搬部材１１によりタブ１０４の下で強制的に滑る。突起部１０２は、従って雄の固定部として作用し、タブ１０４は雌の固定部として作用する。もちろんこれとは別に、タブがテレスコープに、そして突起部が運搬部材に形成されることも可能である。
【００３２】
ここでは、本発明のやはりこれとは別の参考例により製作され、稼働する眼内レンズインプラント１０６を図示する図１１を参照する。レンズインプラント１０６において、テレスコープ２２は、生体適合性のある接着剤１０８等により運搬部材１１に接着される。
【００３３】
本発明は、上記で特に図示され説明されたものにより限定されないことは、当業者により認識されると考えられる。むしろ本発明の範囲は、上記で説明された形態の組み合わせ及び副次的な組み合わせの両者を前記の説明を当業者が読むことにより認識できると考えられ、従来技術にはないそれの修正や変形と同様に含む。
【図面の簡単な説明】
【図１】  図１は、本発明の好適な実施の形態により製作され稼動していて保持リングのような形状の眼内運搬部材インプラントの単純化された絵のような図である。
【図２】  図２は、テレスコープに組み込まれる前の図１の眼内運搬部材インプラントの単純化された絵のような分解図である。
【図３】  図３は、本発明の好適な実施の形態によりテレスコープに組み込まれた図１の眼内運搬部材インプラントの単純化された絵のような図である。
【図４】  図４は、本発明の好適な実施の形態により製作され稼動していてテレスコープに形成された環状の尾根部を有するテレスコープの単純化された絵のような図である。
【図５】  図５は、本発明の一参考例により製作され稼動する眼内レンズインプラントの単純化された絵のような図であり、そこではテレスコープには、運搬部材に形成される対応する雌ねじに適合する雄ねじが形成される。
【図６】  図６は、本発明の別の参考例により製作され稼動する眼内レンズインプラントの単純化された絵のような図であり、そこではテレスコープが、別個の機械的な固定部により運搬部材に取り付けられる。
【図７】  図７は、本発明のやはりこれとは別の参考例により製作され稼動する眼内レンズインプラントの単純化された絵のような図であり、そこではテレスコープには、運搬部材に形成された弾性のある舌部に共に適合するフランジが形成される。
【図８】  図８は、本発明のこれとは別の参考例により製作され稼動する眼内レンズインプラントの単純化された絵のような図であり、そこではテレスコープが、運搬部材の溝に適合するスタッドを有する。
【図９】  図９は、本発明の更にこれとは別の参考例により製作され稼動する眼内レンズインプラントの単純化された絵のような図であり、そこでは運搬部材が、テレスコープの溝に適合するスタッドを有する。
【図１０】  図１０は、本発明のやはりこれとは別の参考例により製作され稼動する眼内レンズインプラントの単純化された絵のような図であり、そこではテレスコープが、運搬部材に形成されるタブに適合する環状の突起部を有する。
【図１１】  図１１は、本発明のこれとは別の参考例により製作され稼動する眼内レンズインプラントの単純化された絵のような図であり、そこではテレスコープが、運搬部材に接着する。
【図１】
0004091256.tif 000002
【図２】
0004091256.tif 000003
【図３】
0004091256.tif 000004
【図４】
0004091256.tif 000005
【図５】
0004091256.tif 000006
【図６】
0004091256.tif 000007
【図７】
0004091256.tif 000008
【図８】
0004091256.tif 000009
【図９】
0004091256.tif 000010
【図１０】
0004091256.tif 000011
【図１１】
0004091256.tif 000012